(57)【要約】【課題】  マイクロホンケースと出力ケーブル側の接続プラグとの接続部における高周波インピーダンスを低減させマイクロホンケースに安定したシールド機能を持たせて電磁波によるノイズ発生を防止する。【解決手段】  金属の円筒体よりなり一端側のコネクタ収納部１３内に３ピン出力コネクタ２０を備えるマイクロホンケース１０と、平衡シールドケーブル４０に設けられコネクタ収納部１３内に差し込まれた状態で３ピン出力コネクタ２０と接続される接続プラグ４１とを含み、接続プラグ４１に平衡シールドケーブル４０のシールド被覆線と電気的に接続されていてコネクタ収納部１３の内面と接触してマイクロホンケース１０と電気的に接続される金属製の外輪４４が設けられているコンデンサマイクロホンにおいて、コネクタ収納部１３の内面側に、接続プラグ４１の外輪４４と弾性的に接触して電気的に接続される板バネ材からなる接地用の接触子３０を設ける。【選択図】  図３
2006121294.tif 000002
【特許請求の範囲】
【請求項１】
金属の円筒体よりなり一端側にコネクタ収納部を備えるマイクロホンケースと、上記コネクタ収納部内に装着される３ピン出力コネクタと、平衡シールドケーブルに設けられ上記コネクタ収納部内に差し込まれた状態で上記３ピン出力コネクタと接続される接続プラグとを含み、上記接続プラグに上記平衡シールドケーブルのシールド被覆線と電気的に接続されていて上記コネクタ収納部の内面と接触して上記マイクロホンケースと電気的に接続される金属製の外輪が設けられているコンデンサマイクロホンにおいて、
上記コネクタ収納部の内面側に、上記接続プラグの上記外輪と弾性的に接触して電気的に接続される板バネ材からなる接地用の接触子が設けられていることを特徴とするコンデンサマイクロホン。
【請求項２】
上記接触子の複数個が上記コネクタ収納部の内面の円周方向に沿ってほぼ均等間隔に配置されている請求項１に記載のコンデンサマイクロホン。
【発明の詳細な説明】
【技術分野】
【０００１】
本発明はコンデンサマイクロホンに関し、さらに詳しく言えば、そのマイクロホンケースのシールド技術に関するものである。
【背景技術】
【０００２】
コンデンサマイクロホンは、振動板と固定極とを対向的に配置してなるマイクロホンユニットを備えているが、そのマイクロホンユニットのインピーダンスがきわめて高いことから、インピーダンス変換器を内蔵している。インピーダンス変換器には、通常、ＦＥＴ（電界効果トランジスタ）が用いられるが、希に真空管が用いられることがある。
【０００３】
コンデンサマイクロホンの音声出力用の電子回路は基板に実装された状態で金属の円筒体よりなるマイクロホンケース内に収納される。通常、マイクロホンケースの一端にはコネクタ収納部が設けられており、そのコネクタ収納部内にＥＩＡＪ  ＲＣ５２３６〔音響機器用ラッチロック式丸型コネクタ〕で規定される３ピンタイプの出力コネクタ（３ピン出力コネクタ）が装着されている。
【０００４】
マイクホン使用時、この出力コネクタは、その相手方である接続プラグを有する出力ケーブル（平衡シールドケーブル）を介してファントム電源と接続される。上記接続プラグには出力コネクタの３ピン（接地，信号のホット側，信号のコールド側）に対応する３つの雌コンタクトのほかに、シールド被覆線と接続された金属製の外輪を備え、この外輪はコネクタ収納部内に差し込まれる際、その内面に接触してマイクロホンケースと電気的に接続される。
【０００５】
ところで、例えば携帯電話機などから放射される強い電磁波がマイクロホンや出力ケーブルに加えられると、その電磁波が出力ケーブルを伝わり出力コネクタを介してマイクロホン内に入り込み、インピーダンス変換器にて復調され可聴周波数の雑音としてマイクロホンから出力されてしまうことがある。
【０００６】
これを防止すべく、上記出力コネクタが備えている３ピンのうちの接地用１番ピンをマイクロホンケースに接続するとともに、出力ケーブルのシールド被覆線と接続された接続プラグの外輪をマイクロホンケースの内面（コネクタ収納部の内面）に接触させて電気的に接続することにより、マイクロホンケースにシールド機能を持たせるようにしている。
【発明の開示】
【発明が解決しようとする課題】
【０００７】
しかしながら、コネクタ収納部と接続プラグの外輪は円筒状の雌雄嵌合であることから接触は点接触であり、この点接触部が高周波的にインピーダンスを持ちシールドが不完全となる。また、コネクタ収納部と接続プラグの外輪との間に寸法誤差などによるガタツキがあると接触点が定まらずシールドが不安定となる。このような、シールドの不完全，不安定さが電磁波によるノイズの発生をもたらす。
【０００８】
したがって、本発明の課題は、マイクロホンケースと出力ケーブル側の接続プラグの外輪との接続部における高周波インピーダンスを低減させマイクロホンケースに安定したシールド機能を持たせることにより、電磁波によるノイズ発生を防止することにある。
【課題を解決するための手段】
【０００９】
上記課題を解決するため、請求項１に記載の発明は、金属の円筒体よりなり一端側にコネクタ収納部を備えるマイクロホンケースと、上記コネクタ収納部内に装着される３ピン出力コネクタと、平衡シールドケーブルに設けられ上記コネクタ収納部内に差し込まれた状態で上記３ピン出力コネクタと接続される接続プラグとを含み、上記接続プラグに上記平衡シールドケーブルのシールド被覆線と電気的に接続されていて上記コネクタ収納部の内面と接触して上記マイクロホンケースと電気的に接続される金属製の外輪が設けられているコンデンサマイクロホンにおいて、上記コネクタ収納部の内面側に、上記接続プラグの上記外輪と弾性的に接触して電気的に接続される板バネ材からなる接地用の接触子が設けられていることを特徴としている。
【００１０】
請求項２に記載の発明は、上記請求項１において、上記接触子の複数個が上記コネクタ収納部の内面の円周方向に沿ってほぼ均等間隔に配置されていることを特徴としている。
【発明の効果】
【００１１】
請求項１に記載の発明によれば、コネクタ収納部の内面側に接続プラグの外輪と弾性的に接触して電気的に接続される板バネ材からなる接地用の接触子を設けたことにより、マイクロホンケースと接続プラグの外輪とがより広い面積でしかもガタツキなく接触することになる。したがって、その接続部における高周波インピーダンスが低減され、マイクロホンケースのシールド機能が安定したものとなり、電磁波によるノイズ発生を効果的に防止することができる。
【００１２】
また、接触子の複数個をコネクタ収納部の内面の円周方向に沿ってほぼ均等間隔で配置する請求項２に記載の発明によれば、マイクロホンケースと接続プラグの外輪との接触戦績がより増大するとともに、ガタツキも確実に押さえられるため、請求項１の効果がより高められる。
【発明を実施するための最良の形態】
【００１３】
次に、図１ないし図３により、本発明の実施形態について説明するが、本発明はこれに限定されるものではない。図１は本発明のコンデンサマイクロホンが備えるマイクロホンケースと出力ケーブル側の接続プラグとを分離して示す断面図，図２はマイクロホンケースに設けられる接触子を示す断面図，図３はマイクロホンケースと接続プラグの接続状態を拡大して示す断面図である。
【００１４】
図１に示すマイクロホンケース１０は、グースネック型マイクロホンやタイピン型マイクロホンなどのように、コンデンサマイクロホンユニットと音声出力モジュール部とがマイクケーブルを介して接続される分離型コンデンサマイクロホンの音声出力モジュール部に用いられるマイクロホンケースである。
【００１５】
なお、コンデンサマイクロホンユニットは公知のものであってよいため、ここでは図示が省略されている。また、上記音声出力モジュール部にはコンデンサマイクロホンユニットに対する成極電源供給回路が設けられることから、上記音声出力モジュール部はパワーモジュール部と呼ばれることもある。
【００１６】
マイクロホンケース１０は、例えば亜鉛もしくはアルミニウムなどの鋳造（ダイカスト）によって形成された円筒体からなり、その内部には音声出力回路や成極電源供給回路などが実装された基板１１が収納される。基板２０にはマイクロホンケース１０内に引き込まれる図示しないマイクケーブルがハンダ付けされ、マイクロホンケース１０の一端側には、そのマイクケーブルのためのコードブッシュ１２が取り付けられている。
【００１７】
マイクロホンケース１０の他端側はコネクタ収納部１３となっていて、その内部に出力コネクタ２０が装着される。出力コネクタ２０には、ＥＩＡＪ  ＲＣ５２３６〔音響機器用ラッチロック式丸型コネクタ〕で規定される３ピン出力コネクタが用いられる。
【００１８】
この出力コネクタ２０は、合成樹脂製の台座２１に貫設された接地用の１番ピン，信号のホット側の２番ピン，信号のコールド側の３番ピンの３本のピンを備えているが、図１は断面図であるため、そのうちの２ピンしか示されていない。断面で示されているピンが接地用の１番ピン２２で、この１番ピン２２は図示しない金属導体板を介してマイクロホンケース１０と導通される。なお、出力コネクタ２０は台座２１内に設けられている固定ネジ２３によってコネクタ収納部１３内に強固に固定される。
【００１９】
このコンデンサマイクロホンを使用する際、出力コネクタ２０は平衡シールドケーブルからなる出力ケーブル４０を介して図示しないファントム電源と接続される。そのため、出力ケーブル４０には出力コネクタ２０に対して着脱可能な接続プラグ４１が設けられている。
【００２０】
接続プラグ４１は、コネクタ収納部１３内に差し込まれる円筒部４２を有し、図示されていないが、この円筒部４２内には出力コネクタ２０の３ピンに対応する３つの雌コンタクトが配置されている。また、円筒部４２の外周部分には出力ケーブルの図示しないシールド被覆線と電気的に接続された金属製の外輪４４が設けられている。
【００２１】
また、この接続プラグ４１はラッチロック式であることから、ノブ４３ａによって操作される係止爪４３ｂを備え、コネクタ収納部１３側には、その相手方となる係止孔１３ａが穿設されている。係止爪４３ｂは図示しないバネ手段にて常時突出方向に付勢されており、円筒部４２をコネクタ収納部１３内に差し込むことにより、自動的に係止孔１３ａ内に係止し、ノブ４３ａを押すことによりその係止状態を解くことができる。
【００２２】
上記のように、接続プラグ４１の円筒部４２をコネクタ収納部１３内に差し込むことにより、３つのピンと３つの雌コンタクトとが接続され、また、外輪４４がコネクタ収納部１３の内面と接触してマイクロホンケース１０にシールド機能が付与されるが、本発明においては、その接触部分における高周波インピーダンスを低減するため、コネクタ収納部１３の内面に接触子３０が設けられる。
【００２３】
この接触子３０は外輪４４に対して弾性的に接触して電気的に接続される板バネ材からなり、その形状の一例を図２に示す。また、接触子３０と外輪４４との接触状態を図３に示す。この例において、接触子３０は山形状に形成されており、その頂部が外輪４４によって押されると裾部分が拡がるように押し潰され、外輪４４が外されると元の形状に復元する。接触子３０の形状は外輪４４に弾性的に接触し得るものであれば任意に選択されてよい。
【００２４】
接触子３０をコネクタ収納部１３の内面に設けるにあたって、コネクタ収納部１３の内面と外輪４４との間のクリアランスはわずかであることと、接触子３０の位置ずれを防止するうえで、図３に示すように、コネクタ収納部１３の内面に所定の深さの収納溝１３ｂを形成して、その中に接触子３０を配置することが好ましい。
【００２５】
コネクタ収納部１３に対する接触子３０の固定方法は、接触子３０の材質によってハンダ付け，溶接，接着材，ネジ止めなどが適宜選択されてよい。なお、接触子３０の固定個所は、外輪４４によって押された際の容変形性を確保するうえで、図２の例で言えば、片側の裾部１個所とすることが好ましい。いずれにしても、接触子３０はコネクタ収納部１３と電気的に接続された状態で固定される。
【００２６】
また、接触部分における高周波インピーダンスをより大きく低減するとともに、ガタツキを確実に押さえ込むうえで、接触子３０は複数個で、しかもコネクタ収納部１３の内面の円周方向に沿ってほぼ均等間隔に配置されることが好ましい。
【００２７】
以上、コンデンサマイクロホンユニットと出力モジュール部とがマイクコードによって接続される分離型コンデンサマイクロホンを例にして本発明を説明したが、出力ケーブル（平衡シールドケーブル）側の接続プラグと接続される３ピン出力コネクタを有するマイクロホンケースを有するコンデンサマイクロホン、例えばマイクグリップとして使用されるマイクロホンケースを有する手持ち用の一体型コンデンサマイクロホンも本発明に含まれる。
【図面の簡単な説明】
【００２８】
【図１】本発明のコンデンサマイクロホンが備えるマイクロホンケースと出力ケーブル側の接続プラグとを分離して示す断面図。
【図２】上記マイクロホンケースに設けられる接触子の一例を示す断面図。
【図３】上記マイクロホンケースと接続プラグの接続状態を示す拡大断面図。
【符号の説明】
【００２９】
１０  マイクロホンケース
１１  基板
１３  コネクタ収納部
１３ａ  係止孔
１３ｂ  収納溝
２０  出力コネクタ
３０  接触子
４０  出力ケーブル（平衡シールドケーブル）
４１  接続プラグ
４２  円筒部
４４  外輪  
【図１】
2006121294.tif 000003
【図２】
2006121294.tif 000004
【図３】
2006121294.tif 000005